(57)【要約】      （修正有）【課題】専門の作業者でない者が、簡単且つ迅速に組立てることができるとともに、輸送コストの低減を図ることができる防球ネットフェンスを提供する。【解決手段】矩形状の本体フレーム２にネット３を張設するネットの張設方法において、先ず、前記ネット３の四隅を、本体フレーム２に設けられた係止部２７に連結し、さらに、四隅が連結されたネット３の周縁部を、張設具５により本体フレーム２に連結する。【選択図】図１
2012235985.tif 000002
【特許請求の範囲】
【請求項１】
矩形状の本体フレームにネットを張設する防球ネットフェンスの張設方法において、先ず、前記ネットの四隅を、本体フレームに設けられた係止部に連結し、さらに、四隅が連結されたネットの周縁部を、張設具により本体フレームに連結するようにしたことを特徴とする防球ネットフェンスの張設方法。
【請求項２】
前記請求項１に記載の防球ネットの張設方法において、前記ネットの四隅を、本体フレームに設けられた係止部に連結した後に、本体フレームの一辺の中途部に、ロープの中途部を連結し、該連結部を基点にしてロープの一方の部分および他方の部分を螺旋状に巻き付けることにより、ネットの一辺の縁部を本体フレーム２に連結し、同様にして本体フレームの他の３辺もロープを巻き付けることにより、ネットの他の３辺の本体フレームに連結することを特徴とする防球ネットフェンスの張設方法。
【請求項３】
矩形状の本体フレームと、前記本体フレームに張設されるネットと、前記ネットを本体フレームに連結する張設具とを備えた防球ネットフェンスにおいて、前記本体フレームの四隅には、前記ネットの四隅を連結する係止部が設けられ、前記張設具はロープからなり、ロープの中途部に設けられ且つ前記ネットの縁部を前記本体フレームに連結する連結部と、前記連結部から両側に設けられ且つ前記本体フレームおよび前記ネットの縁部に螺旋状に巻かれる両方の部分とを備えていることを特徴とする防球ネットフェンス。
【請求項４】
前記請求項３に記載の防球ネットフェンスにおいて、前記本体フレームは、上部フレーム部材と、下部フレーム部材と、左右の側部フレーム部材とからなり、前記フレーム部材は分解可能に構成されていることを特徴とする防球ネットフェンス。
【発明の詳細な説明】
【技術分野】
【０００１】
本発明は、例えば、野球やサッカー等をする際にグランドを区切るために使用される防球ネットフェンスの張設方法および防球ネットフェンスに関する。
【背景技術】
【０００２】
従来、例えば、中学校や高等学校等のグランドにおいて、野球やサッカー等の球技を行う際に、ボールが不用意に飛び出さないように、グランドを防球ネットフェンスで仕切る場合がある。かかる防球ネットフェンスは、矩形状の枠状部材と、該枠状部材の内側に張設され、飛んでくる球を受け止める網状部材（ネット）と、ネットを枠状部材に張設するロープとを備えている。枠状部材は、地面に対して立設された左右の支柱と、該支柱の上端部間を連結する上側連結棒と、支柱の下端部間を連結する下側連結棒とから構成されている（例えば、特許文献１参照）。
【先行技術文献】
【特許文献】
【０００３】
【特許文献１】特開２００７−７５５０８号公報
【発明の概要】
【発明が解決しようとする課題】
【０００４】
前記許文献１に記載の防球ネットフェンスは、ネットの網目に挿通されたロープを枠状部材に螺旋状に巻き付けることにより、ネットを枠状部材に張設するものである。例えば、ネットの上縁部を上側連結棒に連結する場合には、上側連結棒の一端側から、ロープの一端を所定飛びの網目に挿通しながら上側連結棒の他端に向けて螺旋状に巻き付けていく。他の支柱や下側連結棒においても、それぞれの一端側からロープを他端側に向けて巻き付けていくことにより、ネットを左右の支柱や上下側連結棒に連結しているのが現状である。
【０００５】
例えば、上側連結棒が３ｍの枠状部材の場合、上側連結棒に巻き付けるがロープは、略９ｍの長さが必要となる。このように、９ｍのロープをネットの網目に挿通しながら上側連結棒に巻いていく作業は、非常に面倒で煩雑である。このため、専門の作業者がかかるネットの張設作業を製造工場で行っている。
【０００６】
また、短いロープを適宜連結しながら巻いていく方法も考えられるが、前記同様に作業が非常に面倒で煩雑である。
【０００７】
前記防球ネットフェンスは、製造工場においてネットが枠状部材に張設された状態で出荷されるため、嵩張ることとなり、輸送コストがかかる問題があった。
【０００８】
本発明は、防球ネットフェンス使用する現地において、専門の作業者でない現地の者が、簡単且つ迅速に組立てることができるとともに、輸送コストの低減を図ることができる防球ネットフェンスの張設方法および防球ネットフェンスを提供することを課題とする。
【課題を解決するための手段】
【０００９】
本発明は、前記課題を解決するためになされたもので、防球ネットフェンスの張設方法としての特徴は、矩形状の本体フレームにネットを張設する防球ネットフェンスの張設方法において、先ず、前記ネットの四隅を、本体フレームに設けられた係止部に連結し、さらに、四隅が連結されたネットの周縁部を、張設具により本体フレームに連結するようにしたことにある。
【００１０】
前記防球ネットフェンスの張設方法は、予め前記ネットの四隅を、本体フレームに設けられた係止部に連結しておいて、さらに、四隅が連結されたネットの周縁部を、張設具により本体フレームに連結するので、防球ネットフェンスの組立てを容易且つ迅速に行なうことができる。この結果、専門の作業者でない作業者が、現地で組立て作業を行なうことが可能となる。
【００１１】
しかも、現地で防球ネットフェンスの組立て作業が行なえるため、防球ネットフェンスを分解した状態で輸送することができ、防球ネットフェンスを分解した状態で輸送する場合には、輸送コストの低減を図ることができる。
【００１２】
前記ネットの張設方法において、前記ネットの四隅を、本体フレームに設けられた係止部に連結した後に、本体フレームの一辺の中途部に、ロープの中途部を連結し、該連結部を基点にしてロープの一方の部分および他方の部分を螺旋状に巻き付けることにより、ネットの一辺の縁部を本体フレームに連結し、同様にして本体フレームの他の３辺もロープを巻き付けることにより、ネットの他の３辺を本体フレームに連結することにある。なお、本体フレームの一辺の中途部とは、一辺の中央部および中央部から若干ずれた位置をいう。また、ロープの中途部とは、ロープの中央部および中央部から若干ずれた位置をいう。
【００１３】
防球ネットフェンスの張設方法は、本体フレームのそれぞれの辺に、ネットの縁部を容易且つ迅速に連結することが可能となる。
【００１４】
防球ネットフェンスとしての特徴は、矩形状の本体フレームと、前記本体フレームに張設されるネットと、前記ネットを本体フレームに連結する張設具とを備えた防球ネットフェンスにおいて、前記本体フレームの四隅には、前記ネットの四隅を連結する係止部が設けられ、前記張設具はロープからなり、ロープの中途部に設けられ且つ前記ネットの縁部を前記本体フレームに連結する連結部と、前記連結部から両側に設けられ且つ前記本体フレームおよび前記ネットの縁部に螺旋状に巻かれる両方の部分とを備えていることにある。
【００１５】
前記防球ネットフェンスは、前記防球ネットフェンスの張設方法を容易に実施することができる。
【００１６】
前記防球ネットフェンスにおいて、前記本体フレームは、上部フレーム部材と、下部フレーム部材と、左右の側部フレーム部材とからなり、前記フレーム部材は分解可能に構成されていることにある。
【発明の効果】
【００１７】
本発明は、ネットの四隅を、本体フレームに設けられた係止部に連結し、さらに、四隅が連結されたネットの周縁部を、張設具により本体フレームに連結するので、防球ネットフェンスの組立てを容易且つ迅速に行なうことができる。また、輸送コストの低減を図ることができる。
【図面の簡単な説明】
【００１８】
【図１】本発明の一実施形態に係る防球ネットフェンスの全体を示す正面図である。
【図２】同防球ネットフェンスを分解した状態を示す斜視図である。
【図３】同防球ネットフェンスの上部隅部を示す正面図である。
【図４】同防球ネットフェンスの上部中央部を示す斜視図である。
【図５】同防球ネットフェンスにおけるロープを巻き付ける前の上部隅部を示す一部断面を含む正面図である。
【図６】同防球ネットフェンスにおけるロープを巻き付ける状態の上部中央部を示す斜視図である。
【図７】同防球ネットフェンスの組立て工程を示し、（ａ）はネットの四隅を本体フレームに張設した状態の正面図、（ｂ）はロープの巻き付け状態を示す正面図である。
【図８】本発明の他の実施形態に係る防球ネットフェンスを示し、（ａ）は上部中央部を示す斜視図、（ｂ）は全体を示す正面図である。
【発明を実施するための形態】
【００１９】
以下、本発明の実施の形態を図面に基づいて説明する。図１〜図７に本発明に係る防球ネットフェンス１の一実施形態を示す。
【００２０】
かかる防球ネットフェンス１は、図１に示すように、本体フレーム２と、この本体フレーム２枠内に張設されるネット３と、このネット３を本体フレーム２に張設する張設具５とを備えている。
【００２１】
本体フレーム２は、上部フレーム部材２１と、下部フレーム部材２２と、左右の側部フレーム部材２３、２４とからなる。上下部フレーム部材２１、２２および左右の側部フレーム部材２３、２４は、金属製パイプ等からなり、正面視において矩形状に組立てられている。
【００２２】
左右の側部フレーム部材２３、２４の上下両端部には、左右の側部フレーム部材２３、２４を本体フレーム２の中央側に水平に屈曲することにより、接合部２３ａ、２４ａがそれぞれ形成されている。ここで、左右の側部フレーム部材２３、２４の内径は、上下部フレーム部材２１、２２の外径よりも若干大きく設定されている。そして、上下部フレーム部材２１、２２の両端部が、左右の側部フレーム部材２３、２４の接合部２３ａ、２４ａに挿脱自在に嵌入されている。
【００２３】
各接合部２３ａ、２４ａには、図３に示すように、ナット２５が固定されており（本実施の形態では２個のナット２５が、各接合部２３ａ、２４ａに設けられている。）、各ナット２５にボルト７を螺合して締結することにより、ボルト７が接合部２３ａ、２４ａに設けられた孔を貫通して、左右の側部フレーム部材２３、２４と、上下部フレーム部材２１、２２とを、ガタ付くことなく固定している。
【００２４】
本体フレーム２の四隅２ａで且つ内側には、係止部としてのリング体２７が溶接により固定されている。本実施の形態では、左右の側部フレーム部材２３、２４の屈曲部に、ナットからなるリング体２７が固定されている。
【００２５】
左右の側部フレーム部材２３、２４の下部には、角パイプからなる脚体６が、着脱自在に固定されている。すなわち、左右の側部フレーム部材２３、２４の下部には、図２に示すように、帯状のステー６１が前後方向に固定されており、このステー６１に脚体６がボルト（図示省略）で締結固定されている。なお、脚体６両端部下方にキャスター６２が取付けられている。この、キャスター６２により、防球ネットフェンス１を容易に移動させることが可能である。
【００２６】
ネット３の四隅３ａには、連結紐３３が設けられており、この連結紐３３を前記リング体２７に挿通して結ぶことにより、ネット３の四隅３ａが本体フレーム２の４隅２ａに連結されている。
【００２７】
ネット３の周縁部には縁ロープ３０が配置されている。この縁ロープ３０は本体フレーム２に前記張設具５により連結されている。この張設具５は、所定長さのロープからなり、かかるロープ５を、本体フレーム２とともに縁ロープ３０に螺旋状に巻き付けることにより、ネット３を本体フレーム２に張設している。
【００２８】
ロープ５は、その中央部に連結部としての輪５０が形成されており、この輪５０に両方の部分５１、５２を挿通することにより、縁ロープ３０と本体フレーム２とを一体的に巻き付けることができる。
【００２９】
ロープ５の両方の部分５１、５２は、輪５０を基点にして適宜間隔の網目３１に挿通して本体フレーム２に螺旋状に巻き付けられている。そして、両方の部分５１、５２の先端部５１ａ、５２ａが、本体フレーム２の四隅２ａに適宜結ばれている。
【００３０】
次に、前記防球ネットフェンス１の使用態様の一例について説明する。
【００３１】
先ず、ロープ５の中央部には結び目による輪５０が形成されている。かかる輪５０は、例えば、工場において予め形成されているのが好ましい。
【００３２】
本体フレーム２は、上部フレーム部材２１と、下部フレーム部材２２と、左右の側部フレーム部材２３、２４とに分解され、ネット３および脚体６も取外されている。そして、このように防球ネットフェンス１は分解された状態で、使用される目的地まで搬送される（図２参照）。このように、防球ネットフェンス１は分解した状態で搬送できるため、嵩張ることがなく、搬送コストを安くすることができる。
【００３３】
次に、防球ネットフェンス１を組立てる場合について説明する。
【００３４】
先ず、上下部フレーム部材２１、２２の両端部を、左右の側部フレーム部材２３、２４の接合部２３ａ、２４ａにそれぞれ嵌入し、各接合部２３ａ、２４ａに設けられたナット２５にボルト７を締結することにより、左右の側部フレーム部材２３、２４と、上下部フレーム部材２１、２２とを接合する。この左右の側部フレーム部材２３、２４と、上下部フレーム部材２１、２２とにより、矩形状の本体フレーム２を形成する。
【００３５】
さらに、左右の側部フレーム部材２３、２４に設けられたステー６１に、脚体６をボルトで締結固定する。この脚体６により、本体フレーム２を立設させることができる。
【００３６】
前記のように、左右の側部フレーム部材２３、２４と上下部フレーム部材２１、２２とで本体フレーム２を形成した後に、ネット３の四隅３ａを本体フレーム２に連結する。具体的には、ネット３の四隅３ａに設けられた連結紐３３を、本体フレーム２に設けられたリング体２７に挿通した後に結ぶことにより、ネット３の四隅３ａを本体フレーム２の４隅に連結する（図７（ａ）参照）。
【００３７】
このように、ネット３の四隅を本体フレーム２に予め連結した後に、さらに、ロープ５の輪５０に、ロープ５の先端側を挿入して、ネット３の縁ロープ３０と本体フレーム２に、ロープ５を巻き付ける（図６参照）。例えば、上部フレーム部材２１において、上部フレーム部材２１の長手方向中央部には、位置決め手段としてのマーカー４０が設けられている。なお、下部フレーム部材２２および左右の側部フレーム部材２３、２４にも、同様にマーカー４０が設けられている。
【００３８】
上部フレーム部材２１の中央部である所定位置に、ロープ５の中央部を巻き付けた後に、ロープ５の一方の部分５１を、縁ロープ３０と本体フレーム２に、螺旋状に巻き付けていく（図７（ｂ）参照）。そして、一方の部分５１の先端部５１ａは、リング体２７を通過した部分で結ぶ。このように、リング体２７を通過した部分でロープ５の一方の部分５１の先端部５１ａを結ぶことにより、リング体２７が係止部となり、ロープ５の先端部５１ａの結び部が、上部フレーム部材２１の中央側へ不用意に移動するのを阻止できる。なお、ロープ５の一方の部分５１の先端部５１ａをボルト７に結ぶことも可能である。
【００３９】
同様に、他方の部分５２も縁ロープ３０と本体フレーム２に、螺旋状に巻き付け、他方の部分５２の先端部５１ｂは、リング体２７を通過した部分で結ぶ。
【００４０】
前記のように、ロープ５を巻回する作業は、他の左右の側部フレーム部材２３、２４および下フレーム部材２２も同様に行なう。
【００４１】
本実施形態は、以上のように、上下部フレーム部材２１、２２および左右の側部フレーム部材２３、２４毎に、それぞれロープ５を巻き付けるとともに、各ロープ５の中央部から両側に向けて巻き付けていく構成である。
【００４２】
この結果、上下部フレーム部材２１、２２および左右の側部フレーム部材２３、２４の半分の長さに巻かれる長さの両方の部分（ロープ５の半分の部分）５１、５２をネット３の網目３１に挿通させるだけで良くなり、従来のように各部のフレーム部材の一端側から他端側に向けて、長いロープ５を螺旋状に巻く場合に比し、その作業が容易となる。このため、現地において簡単に作業ができることとなり、例えば、専門の作業者でない生徒等の現地の作業者が組立て作業を容易且つ迅速に行なうことが可能となる。
【００４３】
また、かかる防球ネットフェンス１を分解する際には、前記組立て作業とは反対の手順で行えばよく、容易且つ迅速に分解することが可能である。
【００４４】
本発明は、前記実施の形態に限定されるものではない。例えば、図８（ａ）に示すように、張設具５は、取り外し可能なプラスチックファスナーや面テープ等の留め具であってよい。そして、複数個の留め具５を、図８（ｂ）に示すように、ネット３の所定網目３１おきにネット３を本体フレーム２に連結することができる。
【００４５】
また、防球ネットフェンス１の四隅にフック等の係止部を設けておいて、この係止手段にネット３の四隅を着脱自在に係止するようにすることも可能である。
【００４６】
また、本体フレーム２に設けられた係止部とは、リング体２７に限定されるものではなく、ネット３の四隅３ａが係止されるフック等であってもよい。あるいは、ネット３の四隅３ａに設けられた連結具を本体フレーム２に直接連結することも可能である。連結具を本体フレーム２に直接連結する場合には、かかる本体フレーム２の一部が係止部となる。
【００４７】
さらに、ロープ５の中途部に設けられる連結部は、輪５０以外に、取り外し可能なプラスチックファスナーや面テープ等の留め具であってよい。
【符号の説明】
【００４８】
１          防球ネットフェンス
２          本体フレーム
２ａ        四隅
３          ネット
３ａ        四隅
５          張設具（ロープ）
６          脚体
２１        上部フレーム部材
２２        下部フレーム部材
２３        左側部フレーム部材
２３ａ      接合部
２４        右側部フレーム部材
２４ａ      接合部
２７        リング体（係止部）
３０        縁ロープ
３１        網目
３３        連結紐
５０        輪
５１        一方の部分
５２        他方の部分
【図１】
2012235985.tif 000003
【図２】
2012235985.tif 000004
【図３】
2012235985.tif 000005
【図４】
2012235985.tif 000006
【図５】
2012235985.tif 000007
【図６】
2012235985.tif 000008
【図７】
2012235985.tif 000009
【図８】
2012235985.tif 000010